(57)【要約】      （修正有）【課題】室内温度と設定温度との差に基づいて、空気調和制御を行う空気調和装置において、特にオフシーズンの空調などの際に、室内温度を知らなくても、冷え過ぎや、暖め過ぎになることを極力防止することができる空気調和装置の提供。【解決手段】空気調和装置は、室内を設定温度にすべく、室内温度と設定温度との差に基づいて、空気調和制御を行う。そして、弱目運転用の調整値が設定されており、制御手段（３１）は、弱目運転の指示があると、その時点の室内温度を前記調整値で調整し、その調整した温度を設定温度とするとともに、ルーバー（１６）の向きを変更させて、空気の吹き出し方向を横側に向ける。【選択図】  図８
2006153393.tif 000002
【特許請求の範囲】
【請求項１】
室内を設定温度にすべく、室内温度と設定温度との差に基づいて、空気調和制御を行う空気調和装置において、
弱目運転用の調整値が設定されており、
制御手段は、弱目運転の指示があると、その時点の室内温度を前記調整値で調整し、その調整した温度を設定温度とすることを特徴とする空気調和装置。
【請求項２】
前記制御手段は、弱目運転の指示があると、ルーバーの向きを変更させて、空気の吹き出し方向を横側に向けることを特徴とする請求項１記載の空気調和装置。
【請求項３】
前記弱目運転時の設定温度は、冷房時には室内温度よりも１℃〜４℃低い温度で、暖房時には室内温度よりも１℃〜４℃高い温度であることを特徴とする請求項１または２記載の空気調和装置。
【発明の詳細な説明】
【技術分野】
【０００１】
本発明は、室内を設定温度にすべく、室内温度と設定温度との差に基づいて、空気調和制御を行う空気調和装置に関する。
【背景技術】
【０００２】
従来、ルームエアコンなどの空気調和装置は、たとえば特許文献１に記載されているように、基本的には、室内温度と設定温度との差に基づいて、空気調和制御を行っている。
【特許文献１】特開２００３−１０６６２８号公報
【発明の開示】
【発明が解決しようとする課題】
【０００３】
ところで、空気調和装置の冷房シーズンは主に７月および８月であり、暖房シーズンは主に１２月〜２月である。しかしながら、５月でも暑いときや、１０月でも寒いときがあり、この様な所謂オフシーズンの空調の設定温度を如何にするかの判断が難しかった。また、空気調和装置を稼働させる際に、現在温度を簡単に知ることができるケースが少ない。したがって、現時点よりも少し空調の効いた弱目の冷房や暖房が欲しいと思っても、設定温度を適当に決定することが多く、そのため、冷え過ぎや、暖め過ぎになり、満足の行く空調ができないケースが多い。
【０００４】
解決しようとする問題点は、特にオフシーズンの空調などの際に、設定温度を適当に決定すると、冷え過ぎや、暖め過ぎになるケースが多い点である。
【課題を解決するための手段】
【０００５】
本発明の空気調和装置は、室内を設定温度にすべく、室内温度と設定温度との差に基づいて、空気調和制御を行う。そして、弱目運転用の調整値が設定されており、制御手段（３１）は、弱目運転の指示があると、その時点の室内温度を前記調整値で調整し、その調整した温度を設定温度とする。
【０００６】
また、前記制御手段は、弱目運転の指示があると、ルーバー（１６）の向きを変更させて、空気の吹き出し方向を横側に向けることがある。
【０００７】
さらに、弱目運転時の設定温度は、冷房時には室内温度よりも１℃〜４℃低い温度で、暖房時には室内温度よりも１℃〜４℃高い温度であることがある。
【発明の効果】
【０００８】
本発明によれば、制御手段は、弱目運転の指示があると、その時点の室内温度を調整値で調整し、その調整した温度を設定温度としている。したがって、ユーザーは、室内温度を知らなくても、弱目運転の指示を行うだけで、現時点の室内温度から所定の量調整された温度の冷房や暖房を得ることができる。その結果、冷え過ぎや、暖め過ぎになることを極力防止することができる。
【０００９】
また、弱目運転の指示があると、制御手段が、ルーバーの向きを変更させて、空気の吹き出し方向を横側に向ける場合には、ユーザーに風が直接当たることを極力防止することができる。その結果、ユーザーは、やわらかな空気調和を体感することができる。
【００１０】
さらに、前記弱目運転時の設定温度は、冷房時には室内温度よりも１℃〜４℃低い温度で、暖房時には室内温度よりも１℃〜４℃高い温度である場合には、ユーザーは、室内温度を知らなくても、弱目運転を指示するだけで、現時点よりも少し空調の効いた弱目の冷房や暖房を得ることができる。
【発明を実施するための最良の形態】
【００１１】
室内温度と設定温度との差に基づいて、空気調和制御を行う空気調和装置において、特にオフシーズンの空調などの際に、室内温度を知らなくても、冷え過ぎや、暖め過ぎになることを極力防止することができるという目的を、弱目運転用の調整値を設定し、弱目運転の指示があると、制御手段が、その時点の室内温度を前記調整値で調整し、その調整した温度を設定温度とすることで実現した。
【実施例１】
【００１２】
次に、本発明における空気調和装置の一実施例について、図１ないし図８を用いて説明する。図１は本発明における空気調和装置の室内機および室外機の斜視図である。図２は室内機の断面図である。図３はリモコンの説明図で、（ａ）が正面図、（ｂ）が前面扉を外した状態の正面図である。図４は冷房時の冷凍サイクルの概略の冷媒回路図である。図５は暖房時の冷凍サイクルの概略の冷媒回路図である。図６は左右動ルーバーを説明するための概略図で、（ａ）が通常運転時の代表例の図、（ｂ）が弱目運転時の図である。図７は空気調和装置の制御装置の入出力図である。図８は操作部から弱目運転の指示があった際のフローチャートである。なお、図７においては、弱目運転に関する主な部品のみが記載されており、図示されていない他の部品も制御装置に接続されている。
【００１３】
まず始めに、空気調和装置の全体構成を説明する。
図１において、空気調和装置は、室内機１および、この室内機１と冷媒配管２で接続される室外機３を備えている。室内機１は屋内に設置され、一方、室外機３は屋外に設置されており、冷媒配管２は、建屋に形成された孔４を通って、室内機１と室外機３とを接続している。また、この孔４には、室内機１からの換気用ダクト５が挿入されている。そして、室外機３の運転時には、冷凍サイクルの冷媒が室外機３から暖冷房のために冷媒配管２を介して室内機１に循環している。
【００１４】
図２において、室内機１は、室内機用熱交換器６および循環用送風機７を具備している。室内機１の前面には、可動な前面パネル８が設けられ、この前面パネル８の後側に、空気吸込口１１が設けられている。室内機１の稼働中は、前面パネル８は前側に移動して、空気吸込口１１から室内の空気を室内機１内に取り込むことが可能となる。また、室内機１の停止時には、前面パネル８は後側すなわち空気吸込口１１側に移動して見栄えを良好にしている。室内機１の下側には、空気吹出口１２が設けられている。空気吸込口１１の前面には、フィルタ１３が設けられている。また、室内機用熱交換器６の上側には、紫外線ランプ装置１４が配置されている。
【００１５】
そして、室内機１の循環用送風機７が稼働すると、室内の空気が、フィルタ１３で濾過されて空気吸込口１１から吸い込まれ、ついで、室内機用熱交換器６で熱交換され、空気吹出口１２から室内に吹き出している。この様にして、空気調和用の送風装置としての循環用送風機７で室内の空気を循環させながら、この空気を室内機用熱交換器６で熱交換している。
【００１６】
また、空気吹出口１２には、空気の吹き出し方向を変更するための、ルーバー１６，１７が設けられている。左右動ルーバー１６は、図６に図示されているように、左右方向に複数配列されており、空気の吹き出しの左右方向の向きを変える。また、上下動ルーバー１７は、空気の吹き出しの上下方向の向きを変える。そして、各ルーバー１６，１７は各々、ルーバー駆動装置１８で駆動される。
【００１７】
図４および図５において、室内機１の室内機用熱交換器６は、一般的に良く知られているように、室外機３のコンプレッサ２１や室外熱交換器２２などと冷凍サイクルを構成している。室外熱交換器２２には、送風機２３により空気（すなわち、外気）が送風され、この空気と冷凍サイクルを流れる冷媒とが熱交換する。
【００１８】
コンプレッサ２１は、気体状の冷媒を圧縮して冷媒流路切換手段である冷媒流路切換弁２４に吐出する。この冷媒流路切換弁２４は、図５に図示する暖房時には、コンプレッサ２１からの冷媒を室内機用熱交換器６に流し、この室内機用熱交換器６から出た冷媒は、膨張手段としての膨張弁２６および室外熱交換器２２を通って、冷媒流路切換弁２４およびアキュムレータ２７を介してコンプレッサ２１に戻っている。この様にして、室内機用熱交換器６には、温かい冷媒（所謂、ホットガス）が流れる。
【００１９】
一方、冷房運転時には、図４に図示するように、冷媒流路切換弁２４は、コンプレッサ２１からの冷媒を室外熱交換器２２に流して空冷する。この室外熱交換器２２から出た冷媒は、膨張弁２６および室内機用熱交換器６を通って、冷媒流路切換弁２４およびアキュムレータ２７を介してコンプレッサ２１に戻っている。この様にして、室内機用熱交換器６には、冷却された冷たい冷媒が流れる。
【００２０】
空気調和装置の制御手段である制御装置３１は、室内機１内のマイコン、リモコン３２内のマイコンや室外機３内のマイコンなどで構成され、空気調和装置の運転を制御している。そして、特に、現時点よりも少し空調の効いた弱目運転に関して、図７に図示するように、制御装置３１には、リモコン３２の操作ボタン４２、および、このリモコン３２に設けられている室内温度センサ３３からの信号が入力される。室内温度センサ３３は室内機１の設置されている室内の温度を検出しており、室内温度検出手段として機能している。また、制御装置３１から、コンプレッサ２１、循環用送風機７、冷媒流路切換弁２４およびルーバー駆動装置１８などに駆動信号が出力される。さらに、制御装置３１には、その他、室内機１の各種機器および室外機３の各種機器などが入力や出力可能に接続されている。そして、制御装置３１の記憶部（ＥＰＲＯＭやＲＡＭなど）には種々の設定値（たとえば、設定温度やフラグなど）が記憶されるとともに、図示しないタイマを内蔵している。なお、特に、この実施例の弱目運転に関して、制御装置３１の記憶部には、調整値としての調整温度〔暖房時の＋数℃（たとえば１℃〜４℃の範囲の値）および冷房時の−数℃（たとえば−１℃〜−４℃の範囲の値）〕、弱目運転用設定温度（以下、弱目設定温度）、通常運転時用設定温度、弱目フラグなどが記憶される。
【００２１】
リモコン３２は、図３に図示するように、表示部４０および、開閉可能な前面扉４１を具備している。そして、操作部としての各種の操作ボタン４２が、前面扉４１やリモコン３２の本体に複数設けられている。弱目運転に関する操作ボタン４２としては、冷房ボタン４２ａ、暖房ボタン４２ｂ、弱目運転ボタン４２ｃ、上昇側の温度設定ボタン４２ｄ、下降側の温度設定ボタン４２ｅ、上下風向ボタン４２ｆや左右風向ボタン４２ｇなどがある。弱目運転ボタン４２ｃは、図３（ａ）に図示されているように、前面扉４１に設けられ、「すこし」と表示されている。前面扉４１に設けられている上昇側の温度設定ボタン４２ｄや下降側の温度設定ボタン４２ｅを操作することにより、通常運転時に使用される設定温度を変更することができる。また、上下風向ボタン４２ｆや左右風向ボタン４２ｇは、図３（ｂ）に図示するように、前面扉４１を開けると露出し、操作可能となる。そして、この上下風向ボタン４２ｆや左右風向ボタン４２ｇを操作することにより、ルーバー１６，１７の向きを変更して、室内機１の空気吹出口１２から吹き出される空気の向きを変更することができる。
【００２２】
次に、弱目運転が指示された際の運転のフローを、図８のフローチャートに基づいて説明する。
ステップ０において、リモコン３２の冷房ボタン４２ａまたは暖房ボタン４２ｂを押して、空気調和装置を稼働して、冷房運転、暖房運転または送風運転などを行わせる。冷房運転時には、制御装置３１から冷媒流路切換弁２４に、図４の冷房用切換位置になるように指示が出力される。一方、暖房運転時には、制御装置３１から冷媒流路切換弁２４に、図５の暖房用切換位置になるように指示が出力される。また、制御装置３１の記憶部には、リモコン３２などにより予め通常運転時用設定温度が記憶されている。そして、制御装置３１は、記憶部に記憶されている制御プログラムにより、室内温度センサ３３の検出した室内温度が設定温度となるように、室内温度と設定温度との温度差に基づき、コンプレッサ２１や循環用送風機７などを制御する。すなわち、温度差とコンプレッサ２１および循環用送風機７の出力との関係を示すテーブルや、比例制御などにより、室内温度と設定温度との差が大きいほど、コンプレッサ２１の回転数や循環用送風機７の送風量が増大するように制御される。また、設定温度（通常運転時用設定温度）は、リモコン３２の温度設定ボタン４２ｄ，４２ｅを操作することにより、適宜変更することができる。
【００２３】
そして、ステップ１において、現時点よりも少し空調の効いた弱目の冷房や暖房が欲しいと思った場合には、ユーザーは、弱目運転ボタン４２ｃを押す（操作する）。その操作信号（弱目運転の指示）が制御装置３１に入力され、ステップ２に行く。一方、ステップ１において、操作信号が制御装置３１に入力されない場合には、ステップ７に行く。
【００２４】
ステップ２において、制御装置３１は、通常運転か弱目運転かを示す弱目フラグがＯＮかＯＦＦかを判定し、ＯＮの場合にはステップ６に行き、ＯＦＦの場合にはステップ３に行く。通常運転から弱目運転に入る際には、弱目運転はＯＦＦであるので、ステップ３に行く。
【００２５】
ステップ３において、制御装置３１は室内温度センサ３３から現時点の室内温度をサンプリングして入手し、ステップ４に行く。そして、ステップ４において、制御装置３１は、入手した室内温度に調整温度を加算し、弱目設定温度を生成し、記憶部に記憶する。そして、ステップ５に行く。
【００２６】
ステップ５において、制御装置３１は弱目フラグを立てる（ＯＮにする）。ついで、ステップ１に戻る。
【００２７】
弱目運転ボタン４２ｃは一度だけ操作されているので、ステップ１からステップ７に行く。そして、ステップ７において、制御装置３１は、弱目フラグがＯＮかＯＦＦかを判定し、ＯＮの場合にはステップ８に、また、ＯＦＦの場合にはステップ１０に行く。前回のステップ５において、弱目フラグがＯＦＦからＯＮに変わっているため、ステップ８に行く。
【００２８】
そして、ステップ８において、制御装置３１は、通常運転時用設定温度に代えて、弱目設定温度を用いて制御する弱目運転を行う。すなわち、制御装置３１は、室内温度センサ３３の検出した室内温度が弱目設定温度となるように、室内温度と弱目設定温度との温度差に基づき、コンプレッサ２１や循環用送風機７などを制御する。そして、ステップ９に行く。
【００２９】
ステップ９において、制御装置３１はルーバー駆動装置１８に駆動信号を出力し、左右動ルーバー１６を図６（ｂ）に図示するようにハの字状に横側に向け、室内機１の空気吹出口１２からの吹き出し方向を横側に向ける。そして、ステップ１に戻り、ステップ７、ステップ８およびステップ９を順次繰り返して、弱目運転を続行する。
【００３０】
そして、弱目運転を終了する際には、再度、弱目運転ボタン４２ｃを操作する。すると、ステップ１からステップ２に行く。このステップ２において、弱目フラグはＯＮとなっているので、ステップ６に行く。このステップ６において、制御装置３１は、弱目フラグをＯＮからＯＦＦに変更し、ステップ１に戻る。
【００３１】
そして、ステップ１からステップ７に行く。ステップ７において、弱目フラグはＯＦＦとなっているため、ステップ１０にいく。そして、ステップ１０において、制御装置３１は、弱目設定温度に代えて、通常運転時用設定温度を用いて制御する通常運転を行う。すなわち、制御装置３１は、室内温度センサ３３の検出した室内温度が通常運転時用設定温度となるように、室内温度と通常運転時用設定温度との温度差に基づき、コンプレッサ２１や循環用送風機７などを制御する。また、制御装置３１はルーバー駆動装置１８に駆動信号を出力し、左右動ルーバー１６を元の位置、たとえば、図６（ａ）に図示する状態に戻す。そして、ステップ１に戻り、ステップ７およびステップ１０を順次繰り返して、再度、弱目運転ボタン４２ｃが操作されるまで、通常運転を続行する。
【００３２】
この様にして、弱目運転指示手段としての弱目運転ボタン４２ｃが操作されて、制御装置３１に弱目運転ボタン４２ｃの操作信号が入力されると、入力の度に、弱目フラグがＯＮ（弱目運転指示が有る）またはＯＦＦ（弱目運転指示が無い）に切り換わる。そして、制御装置３１は、弱目フラグがＯＮの場合には、少し空調が効くべく現時点の室内温度を調整値（調整温度）で調整した弱目設定温度で空気調和制御を行い、一方、弱目フラグがＯＦＦの場合には、通常運転時用設定温度で空気調和制御を行う。また、制御装置３１は、弱目フラグがＯＮの場合には、ルーバー１６を駆動して、室内機１の空気吹出口１２からの風向を横側に向け、一方、弱目フラグがＯＦＦの場合には、左右風向ボタンなどの風向指示手段で指示された向きにルーバー１６を駆動する。
【００３３】
そして、制御手段として制御装置は、１）室内を設定温度にすべく、室内温度と設定温度との差に基づいて、空気調和制御を行う手段、２）弱目運転の指示があると、その時点の室内温度を前記調整値で調整し、その調整した温度を設定温度とする手段、３）弱目運転の指示があると、ルーバーの向きを変更させて、送風装置の空気の吹き出し方向を横側に向ける手段などを具備している。
【００３４】
そして、制御手段は、上記手段以外にも、実行される各工程に対応して各工程を実行する手段を具備している。また、上記手段を全て具備する必要は必ずしもない。
【００３５】
前述のように、この実施例の空気調和装置では、制御装置３１に弱目運転指示手段（弱目運転ボタン４２ｃ）からの操作信号が入力されると、入力の度に、弱目フラグがＯＮまたはＯＦＦに切り換わり、そして、弱目フラグがＯＮの場合には、少し空調が効くべく現時点の室内温度を調整値で調整した弱目設定温度で空気調和制御を行っている。したがって、ユーザーは、室内温度を知らなくても、弱目運転指示手段（弱目運転ボタン４２ｃ）を操作するだけで、現時点よりも少し空調の効いた弱目の冷房や暖房を得ることができる。
【００３６】
また、制御装置３１は、弱目フラグがＯＮの場合には、ルーバー１６を駆動して、室内機１の空気吹出口１２から風向を横側に向けており、弱目運転の際には、ユーザーに室内機１から風が直接当たることを極力防止している。その結果、ユーザーは、やわらかな空気調和を体感することができる。
【００３７】
以上、本発明の実施例を詳述したが、本発明は、前記実施例に限定されるものではなく、特許請求の範囲に記載された本発明の要旨の範囲内で、種々の変更を行うことが可能である。本発明の変更例を下記に例示する。
（１）説明を簡単にするために、調整温度を暖房時は＋数℃および冷房時は−数℃にして現時点の室内温度に加算しているが、調整温度を＋数℃にし、暖房時には現時点の室内温度に調整温度を加算し、一方、冷房時には現時点の室内温度に調整温度を減算して弱目設定温度とすることができる。また、この弱目設定温度を生成する際に、調整温度ではなく、室内温度に対する比率（たとえば、約１０％など）などで設定することも可能である。この様に、現時点の室内温度から弱目設定温度を生成する際に用いる調整値は、少し空調が効くように室内温度を調整して弱目設定温度を生成することができるならば、温度でも、比率でも適宜選択可能である。
【００３８】
（２）空気調和装置は、基本的には、設定温度と室内温度との差で制御されているが、室外温度（すなわち、外気温度）、湿度や時間帯などを加味して制御することも当然可能である。
（３）制御手段はマイコンで構成されているが、それ以外の構成でも可能である。また、制御手段は、リモコン、室外機や室内機などに分散配置することも可能であるし、また、リモコン、室外機や室内機などの一か所に集中配置することも可能である。
（４）各フローチャートのステップの順序は適宜変更可能である。たとえば、ステップ５はステップ３の前でも可能である。
【００３９】
（５）送風装置は、室内機の熱交換器で熱交換された空気を送風することができるならば、その形式や個数などは適宜選択可能である。また、ルーバー駆動装置１８は、ルーバー１６，１７を作動させることにより、風向を変更することができるならば、その構造や形式などは適宜選択可能である。
（６）室内温度センサは室内温度を検出することができればよく、その形式、個数や配置などを適宜選択可能である。たとえば、室内機の本体などに設けることも可能である。
【００４０】
（７）操作部はリモコンの操作ボタン４２で構成されているが、弱目運転などを指示することができるならば、その配置位置や構造などは適宜変更可能で、たとえば、室内機の本体などに設けることも可能である。
（８）空気調和制御は、コンプレッサ２１の回転数および送風装置としての循環用送風機７の送風量の両者で行うことが好ましいが、少なくとも、コンプレッサ２１の回転数を制御することで行うことが可能である。
【産業上の利用可能性】
【００４１】
弱目運転用の調整値を設定し、弱目運転の指示があると、制御手段が、その時点の室内温度を前記調整値で調整し、その調整した温度を設定温度としている。したがって、ユーザーは、室内温度を知らなくても、弱目運転の指示を行うだけで、現時点の室内温度から所定の量調整された冷房や暖房を得ることができる。そのため、室内を設定温度にすべく、室内温度と設定温度との差に基づいて、空気調和制御を行う空気調和装置に適用することが最適である。
【図面の簡単な説明】
【００４２】
【図１】図１は本発明における空気調和装置の室内機および室外機の斜視図である。
【図２】図２は室内機の断面図である。
【図３】図３はリモコンの説明図で、（ａ）が正面図、（ｂ）が前面扉を外した状態の正面図である。
【図４】図４は冷房時の冷凍サイクルの概略の冷媒回路図である。
【図５】図５は暖房時の冷凍サイクルの概略の冷媒回路図である。
【図６】図６は左右動ルーバーを説明するための概略図で、（ａ）が通常運転時の代表例の図、（ｂ）が弱目運転時の図である。
【図７】図７は空気調和装置の制御装置の入出力図である。
【図８】図８は操作部から弱目運転の指示があった際のフローチャートである。
【符号の説明】
【００４３】
１  室内機
７  循環用送風機（送風装置）
１２  室内機の空気吹出口
１６  ルーバー
１７  ルーバー
３１  制御装置（制御手段）
【図１】
2006153393.tif 000003
【図２】
2006153393.tif 000004
【図３】
2006153393.tif 000005
【図４】
2006153393.tif 000006
【図５】
2006153393.tif 000007
【図６】
2006153393.tif 000008
【図７】
2006153393.tif 000009
【図８】
2006153393.tif 000010